(57)【要約】【課題】第２扉体を案内する第２ガイド部材のための取付部材と戸袋との影響を受けることなく、第１ガイド部材への第１扉体の配置作業を容易に行える多重引き式引戸装置を提供すること。【解決手段】第１扉体１は不動部材である上枠部材１０に配置された第１ガイドレールで案内されて開閉移動し、第２扉体は上枠部材に配置された取付部材３０に取り付けられている第２ガイドレール２２で案内されて開閉移動する。上枠部材１０での取付部材３０の配置位置は戸袋４から離れた位置であり、取付部材３０は上枠部材１０からの突出量Ａを有し、取付部材３０と戸袋４との間の間隔Ｃは、第１扉体１の開閉移動方向の寸法Ｄよりも大きく、かつ、第１扉体１を第１ガイドレールに配置する作業者の手を取付部材３０と第１扉体１との間及び第１扉体１と戸袋４との間に挿入できる大きさになっている。【選択図】図６
2008291526.tif 000002
【特許請求の範囲】
【請求項１】
少なくとも第１及び第２の２個の扉体と、これらの扉体によって開閉される開口部と、この開口部を開けたときのそれぞれの前記扉体が収納される戸袋と、を含んで構成され、前記第１扉体は不動部材に取り付けられた第１ガイド部材によって開閉移動が案内され、前記第２扉体は前記不動部材に取り付けられた第２ガイド部材によって開閉移動が案内され、前記開口部を閉じたときの前記第１扉体の位置が、前記開口部を閉じたときの前記第２扉体の位置よりも前記戸袋側の位置となっている多重引き式引戸装置において、
前記不動部材には、前記戸袋から離れた位置において、前記第２ガイド部材を取り付けるための取付部材が配置されているとともに、この取付部材は、この取付部材が配置されている前記不動部材の面から前記第１及び第２扉体の厚さ方向への突出量を有しており、この取付部材と前記戸袋との間の前記開閉移動方向における間隔は、前記第１扉体の前記開閉移動方向の寸法よりも大きく、かつ、前記第１扉体を前記第１ガイド部材に配置する作業者の手を前記取付部材と前記第１扉体との間及びこの第１扉体と前記戸袋との間に挿入できる大きさになっていることを特徴とする多重引き式引戸装置。
【請求項２】
請求項１に記載の多重引き式引戸装置において、前記取付部材の前記突出量は、この取付部材が配置されている前記不動部材の前記面から前記第１扉体の前記不動部材側の面までの距離と同じ又はこの距離よりも大きくなっていることを特徴とする多重引き式引戸装置。
【請求項３】
請求項２に記載の多重引き式引戸装置において、前記取付部材の前記突出量は、この取付部材が配置されている前記不動部材の前記面から前記第１扉体の前記不動部材側の面までの距離よりも大きくなっており、前記第２ガイド部材は前記第１扉体の内部を貫通し、前記第２扉体は前記第１扉体の内部に入れ子式に侵入可能となっていることを特徴とする多重引き式引戸装置。
【請求項４】
請求項１〜３のいずれかに記載の多重引き式引戸装置において、前記取付部材の戸先側の端部の位置は、前記第２ガイド部材の戸先側の端部の位置と同じ又は略同じになっていることを特徴とする多重引き式引戸装置。
【請求項５】
請求項１〜４のいずれかに記載の多重引き式引戸装置において、前記戸袋の内部に配置されている前記第２ガイド部材の戸尻側の端部は、前記第２ガイド部材の全長のうち、少なくともこの戸尻側の端部に形成されている空洞部に、前記不動部材に結合されている挿入部材が挿入されることによって前記不動部材に支持されていることを特徴とする多重引き式引戸装置。
【請求項６】
請求項１〜５のいずれかに記載の多重引き式引戸装置において、前記第１扉体と前記第２扉体とを常時連結し、これらの扉体を連動させて開閉移動させるための連動機構を備えていることを特徴とする多重引き式引戸装置。
【請求項７】
請求項１〜６のいずれかに記載の多重引き式引戸装置において、前記戸袋は壁の内部に収納された壁収納式戸袋であることを特徴とする多重引き式引戸装置。
【請求項８】
請求項１〜７のいずれかに記載の多重引き式引戸装置において、前記第１及び第２扉体は前記第１及び第２ガイド部材から吊り下げられた上吊り式の扉体であることを特徴とする多重引き式引戸装置。
【発明の詳細な説明】
【技術分野】
【０００１】
本発明は、出入口等の開口部を少なくとも２個の扉体によって開閉する多重引き式引戸装置に係り、例えば、それぞれの扉体がそれぞれのガイド部材から吊り下げられた上吊り式となっている引戸装置に利用できるものである。
【背景技術】
【０００２】
下記の特許文献１には、少なくとも第１及び第２の２個の扉体を備えた多重引き式引戸装置が示されている。この多重引き式引戸装置は、第１及び第２の２個の扉体と、これらの扉体によって開閉される開口部と、この開口部を開けたときのそれぞれの扉体が収納される戸袋と、を含んで構成されており、第１扉体は不動部材に取り付けられた第１ガイド部材によって開閉移動が案内され、第２扉体は前記不動部材に取り付けられた第２ガイド部材によって開閉移動が案内され、開口部を閉じたときの第１扉体の位置が、開口部を閉じたときの第２扉体の位置よりも戸袋側の位置となっている。
【特許文献１】特開平１１−６３７２号公報
【発明の開示】
【発明が解決しようとする課題】
【０００３】
以上のように構成される多重引き式引戸装置において、第２ガイド部材を不動部材に取り付けるためには各種の手段があり、その一つとして、不動部材に、戸袋から離れた位置において、言い換えると、戸袋から露出している位置において、第２ガイド部材を取り付けるための取付部材を配置し、この取付部材を、この取付部材が配置された不動部材の面から第１及び第２扉体の厚さ方向への突出量を有するものとすることである。
【０００４】
このように第２ガイド部材を取り付けるための取付部材を不動部材に設けるようにした場合であって、第２ガイド部材よりも先に不動部材に取り付けられている第１ガイド部材に第１扉体を開閉移動自在に配置する作業を行うときに、上記取付部材が既に不動部材に設けられている場合には、この取付部材と上記戸袋がこの第１扉体の第１ガイド部材への配置作業を行うときの障害になるおそれがあるため、これらの取付部材と戸袋の影響を受けることなく、第１ガイド部材への第１扉体の配置作業を行えるようにする工夫が求められる。
【０００５】
本発明の目的は、第２扉体を案内する第２ガイド部材のための取付部材と戸袋との影響を受けることなく、第１ガイド部材への第１扉体の配置作業を容易に行えるようになる多重引き式引戸装置を提供するところにある。
【課題を解決するための手段】
【０００６】
本発明に係る多重引き式引戸装置は、少なくとも第１及び第２の２個の扉体と、これらの扉体によって開閉される開口部と、この開口部を開けたときのそれぞれの前記扉体が収納される戸袋と、を含んで構成され、前記第１扉体は不動部材に取り付けられた第１ガイド部材によって開閉移動が案内され、前記第２扉体は前記不動部材に取り付けられた第２ガイド部材によって開閉移動が案内され、前記開口部を閉じたときの前記第１扉体の位置が、前記開口部を閉じたときの前記第２扉体の位置よりも前記戸袋側の位置となっている多重引き式引戸装置において、前記不動部材には、前記戸袋から離れた位置において、言い換えると、戸袋から露出している位置において、前記第２ガイド部材を取り付けるための取付部材が配置されているとともに、この取付部材は、この取付部材が配置されている前記不動部材の面から前記第１及び第２扉体の厚さ方向への突出量を有しており、この取付部材と前記戸袋との間の前記開閉移動方向における間隔は、前記第１扉体の前記開閉移動方向の寸法よりも大きく、かつ、前記第１扉体を前記第１ガイド部材に配置する作業者の手を前記取付部材と前記第１扉体との間及びこの第１扉体と前記戸袋との間に挿入できる大きさになっていることを特徴とするものである。
【０００７】
本発明では、第２扉体を案内する第２ガイド部材を取り付けるための取付部材が、この取付部材が配置されている不動部材の面から第１及び第２扉体の厚さ方向への突出量を有していても、この取付部材と戸袋との間の第１及び第２扉体の開閉移動方向における間隔は、第１扉体の開閉移動方向の寸法よりも大きく、かつ、第１扉体を第１ガイド部材に配置する作業者の手を取付部材と第１扉体との間及びこの第１扉体と戸袋との間に挿入できる大きさになっているため、第１扉体を第１ガイド部材に配置するための作業を、取付部材と戸袋とに影響されることなく、作業者が第１扉体を手で持って持ち上げることにより容易に行える。
【０００８】
以上の本発明において、不動部材の上記面からの取付部材についての第１及び第２扉体の厚さ方向への突出量は、任意の量でよく、その一例は、この突出量を、不動部材の上記記面から第１扉体の不動部材側の面までの距離よりも小さくすることであり、他の例は、上記突出量を、不動部材の上記面から第１扉体の不動部材側の面までの距離と同じ又はこの距離よりも大きくすることである。
【０００９】
また、第１及び第２扉体についてのこれらの扉体の厚さ方向における配置位置は、任意な位置でよく、その一例は、これらの扉体の配置位置を、これらの扉体の厚さ方向にずらせることであり、他の例は、これらの扉体の配置位置を、これらの扉体の厚さ方向の同じ位置とするとともに、一方の扉体を、他方の扉体の内部に侵入可能とした入れ子式とすることである。
【００１０】
不動部材の上記面からの取付部材についての第１及び第２扉体の厚さ方向への突出量を、不動部材の上記面から第１扉体の不動部材側の面までの距離よりも大きくする場合には、前記取付部材に取り付けられる第２ガイド部材を、第１扉体の内部に貫通させることができ、このように第２ガイド部材を第１扉体の内部に貫通させた場合には、第２扉体を第１扉体の内部に侵入可能な入れ子式の扉体とすることができる。
【００１１】
さらに、本発明において、取付部材の戸先側の端部の位置は、任意な位置でよく、その一例は、取付部材の戸先側の端部の位置を、第２ガイド部材の戸先側の端部の位置と同じ又は略同じにすることである。
【００１２】
これによると、取付部材に取り付ける第２ガイド部材の部分を、第２ガイド部材の戸先側の端部をも含めた第２ガイド部材の長い部分とすることが可能となり、取付部材への第２ガイド部材の取付強度を大きくすることができる。
【００１３】
また、取付部材に第２ガイド部材を取り付けるための手段は、任意な手段でよく、例えば、ビス等の止着具でもよく、係合手段でもよく、係止手段でもよく、嵌合手段でもよく、溶接等でもよい。
【００１４】
さらに、前記戸袋の内部に配置される第２ガイド部材の戸尻側の端部は、任意な手段によって前記不動部材に支持させてもよく、その一例は、戸袋の内部に配置される第２ガイド部材の戸尻側の端部を、第２ガイド部材の全長のうち、少なくともこの戸尻側の端部に形成されている空洞部に、前記不動部材に結合されている挿入部材が挿入されることによって不動部材に支持させてもよい。
【００１５】
さらに、前述したように、前記開口部を閉じたときの前記第１扉体の位置が、前記開口部を閉じたときの前記第２扉体の位置よりも前記戸袋側の位置となっているようにするための構造は、任意な構造でよい。その一例は、第１扉体と第２扉体とのうちの少なくとも一方に、開口部を開いた位置まで第１扉体と共に後退していた第２扉体を閉じ側へ所定距離移動させたときに第１扉体と第２扉体とが互いに連結係止された状態となる係止部材を設け、それ以上に第２扉体を閉じ側へ移動させると、両方の扉体がこの係止部材によって一体となって移動するように構成することである。また、他の例は、第１扉体と第２扉体とを常時連結し、これらの扉体を連動させて開閉移動させるための連動機構を用いることである。
【００１６】
このような連動機構の一例は、開閉方向に離れて第１扉体に配置された２個の回転体と、これらの回転体に掛け回され、かつ不動部材に結合されているとともに、２個の回転体を間に挟んで不動部材との結合箇所とは反対側において第２扉体に結合されている紐状部材とを含んで構成されているものである。
【００１７】
この連動機構によると、第１扉体と第２扉体のうちのいずれか一方を手動操作又は自動移動手段で移動させると、紐状部材と２個の回転体を介して第１扉体と第２扉体が連動移動することになるとともに、第１扉体が低速で移動する低速扉体となり、第２扉体が高速で移動する高速扉体となる。
【００１８】
この連動機構における紐状部材は、金属製ワイヤーでもよく、合成樹脂製紐でもよく、繊維製紐でもよく、これらの複合材でもよく、さらには、平ベルトでもよく、タイミングベルトでもよく、チェーン等でもよく、任意である。
【００１９】
そして、前述した戸袋の形式は任意であり、この戸袋は、例えば、外部から視認できる外部露出式の戸袋でもよく、壁の内部に収納された壁収納式の戸袋でもよい。そして、これらの戸袋は、戸袋の内部に収納された第１及び第２扉体の厚さ方向両側を覆う部分を有している両面式の戸袋でもよく、第１及び第２扉体の厚さ方向片側のみを覆う部分を有している片面式戸袋でもよい。
【００２０】
また、本発明に係る多重引き式引戸装置における第１ガイド部材と第２ガイド部材は、第１扉体と第２扉体の上部を案内するものでもよく、下部を案内するものでもよく、上部と下部の両方を案内するものでもよい。すなわち、本発明は、第１及び第２ガイド部材による第１及び第２扉体の移動案内をこれらの扉体の上部で行う上部案内方式の多重引き式引戸装置にも適用でき、扉体の下部で行う下部案内方式の多重引き式引戸装置にも適用でき、扉体の上下部両方で行う上下部両方案内方式の多重引き式引戸装置にも適用できる。
【００２１】
また、本発明は、第１及び第２扉体が第１及び第２ガイド部材から吊り下げられた上吊り式の扉体となっている引戸装置にも適用することができる。
【００２２】
また、扉体を上吊り式の扉体とする場合には、この上吊り式とする方式は、ガイドレールを用いたガイドレール方式でもよく、スライドレールを用いたスライドレール方式でもよい。
【００２３】
なお、ガイドレール方式とは、不動部材に取り付けるガイド部材をガイドレールとし、このガイドレールに、扉体に設けたローラを転動自在に係合させたものであり、スライドレール方式とは、不動部材に取り付けるガイド部材をスライドレールとし、このスライドレールに、扉体に設けたスライドベアリングをスライド自在に係合させたものである。
【００２４】
また、本発明は、扉体の個数が２個になっている多重引き式引戸装置に適用することができ、また、扉体の個数が３個以上になっている多重引き式引戸装置にも適用することができる。
【００２５】
また、本発明は、第１及び第２扉体のうち、少なくとも１個の扉体の開き移動及び／又は閉じ移動が自動閉鎖装置で行われるようになっている多重引き式引戸装置に適用することができ、また、第１及び第２扉体のうち、少なくとも1個の扉体の開き移動及び／又は閉じ移動が手動操作で行われるようになっている多重引き式引戸装置にも適用することができる。
【００２６】
さらに、第１及び第２ガイド部材で案内される第１及び第２扉体の開閉移動形態は任意である。すなわち、第１及び第２扉体を案内する第１及び第２ガイド部材は、これらの扉体を直線的に案内するものでもよく、曲線的に案内するものでもよく、さらに、例えば、第１及び第２扉体を建物躯体等に近づけながら全閉とさせるために、第１及び第２ガイド部材は、第１及び第２扉体をこれらの扉体の厚さ方向に略平行移動させながら扉体の幅方向（扉体の開閉移動方向）に移動させるものでもよい。
【発明の効果】
【００２７】
本発明によると、第２扉体を案内する第２ガイド部材のための取付部材と戸袋との影響を受けることなく、第１ガイド部材への第１扉体の配置作業を容易に行えるという効果を得られる。
【発明を実施するための最良の形態】
【００２８】
以下に本発明を実施するための形態を図面に基づいて説明する。本実施形態に係る多重引き式引戸装置は、第１扉体と第２扉体の２個の扉体によって開口部が開閉される装置であって、この開口部を開いたこれらの扉体が収納される戸袋を有している装置であり、この戸袋は、壁の内部に収納された壁収納式の戸袋となっている。
【００２９】
図１は、本実施形態に係る多重引き式引戸装置の全体を示す正面図であり、この多重引き式引戸装置は、例えば、建物内における廊下と部屋との間に設置されており、開閉移動方向が同じになっている第１扉体１と第２扉体２により、上記開口部となっている出入口３が開閉される。この引戸装置の外枠組みは、無目である上枠部材１０と、扉体１，２が全閉位置に達して出入口３を閉じたときに第１扉体１の先端が当接する戸先側の竪枠部材１１と、この戸先側の竪枠部材１１とは扉体１，２の移動方向反対側に配置されている戸尻側の竪枠部材１２と、これらの竪枠部材１１と１２の間に配置されているとともに、出入口３を開けたときの扉体１，２が収納される戸袋４における出入口３の側の端部に配置された竪額縁部材１３と、床５における戸袋４の下端に配置された幅木１４とにより形成され、板材の折り曲げ品となっているこれらの上枠部材１０と戸先側の竪枠部材１１と戸尻側の竪枠部材１２と竪額縁部材１３と幅木１４は、多重引き式引戸装置の外枠組みを形成する枠部材になっているとともに、開閉移動する扉体１，２に対して不動となった不動部材にもなっている。
【００３０】
出入口３は、これらの枠部材１０〜１４で形成された外枠組みの内側の一部の空間となっており、この出入口３は扉体１，２で開閉され、この出入口３を開けたときの扉体１，２が収納される戸袋４は、壁６の内部に収納された壁収納式の戸袋である。上枠部材１０は、戸先側の竪枠部材１１から戸尻側の竪枠部材１２まで延びる長さを有し、上記枠部材１０〜１４のうちの１つとなっている竪額縁部材１３は、戸袋４における出入口２側の見切り部材となっている。また、戸袋４は、上枠部材１０と幅木１４の長手方向（図１では左右方向）に連続している補強部材１５によって補強された構造となっており、この補強部材１５は、扉体１の厚さ方向でもある戸袋４の厚さ方向の両側に設けられているとともに、竪枠部材１１，１２と竪額縁部材１３の長手方向でもある上下方向に複数個配設されている。そして、これらの補強部材１５の上下において、内側壁材が接着テープ等による結合具で補強部材１５に結合され、これらの内側壁材の外側に大面積の外側壁材が配置され、補強部材１５にステープル等の止着具で止着されたこれらの外側壁材の表面にクロス等の壁仕上げ材が取り付けられることにより、内部に戸袋４が設けられた壁６の表面が仕上げられている。
【００３１】
戸先側の竪枠部材１１から戸尻側の竪枠部材１２まで延びる長さを有している上枠部材１０のうち、出入口３と対応する部分における扉体１，２の厚さ方向片側（図１の表面側）には、通常時は点検カバー１６で塞がれている図３の点検用開口部１０Ａが設けられている。上枠部材１０の上面部１０Ｂの係止部１０Ｃに上端が係止されている点検カバー１６を図１の竪枠部材１１のブラケット及び竪額縁部材１３のブラケットに止めている止着具１７，１８を取り外し、これによって上枠部材１０から点検カバー１６を取り除くことにより、扉体１，２を移動させるために上枠部材１０の内部に配置されている扉体移動機構についての各種作業を行えるようになっている。
【００３２】
次に、この扉体移動機構について説明する。図２は、点検カバー１６を取り外して示したこの扉体移動機構の正面図である。上枠部材１０の内部には、この上枠部材１０の全長よりも短い長さを有している第１ガイドレール２１が配置され、戸袋４側に片寄って配置されているこの第１ガイドレール２１は、第１扉体１の開閉移動を案内するための第１ガイド部材になっている。また、上枠部材１０の内部には、第１ガイドレール２１よりも下側において、上枠部材１０の略全長に渡る長さを有している第２ガイドレール２２が配置され、この第２ガイドレール２２は、第２扉体２の開閉移動を案内するための第２ガイド部材となっている。
【００３３】
図３は、図２のＳ３−Ｓ３線断面図であり、この図３で示されているように、上枠部材１０には、扉体１，２の厚さ方向における前記点検用開口部１０Ａとは反対側の側部において、上面部１０Ｂから垂下した垂下部１０Ｄが設けられており、上枠部材１０の全長に渡って形成されているこの垂下部１０Ｄにおける上枠部材１０の内部側の面には、補強部材２３が溶接等で結合されている。上枠部材１０の一部を形成する部材となっていて、図２で示されているように上枠部材１０の長手方向に延びているこの補強部材２３には、第１ガイドレール２１がビス等の止着具２４によって取り付けられている。図３で示すとおり、アルミ製又はアルミ合金製の引き抜き成形品又は押し出し成形品である第１ガイドレール２１は、補強部材２３に止着具２４で取り付けられた基部２１Ａと、この基部２１Ａから扉体１，２の厚さ方向に水平に延びているアーム部２１Ｂと、このアーム部２１Ｂの先端から立ち上がった案内部２１Ｃとを有している。
【００３４】
案内部２１Ｃには、第１扉体１の上部のブラケット２５に取り付けられているローラ２６が転動自在に載せられ、このようなブラケット２５とローラ２６は、図２に示されているように、第１扉体１の開閉移動方向に２個設けられている。このため、第１扉体１は、２個のローラ２６と２個のブラケット２５を介して第１ガイドレール２１から吊り下げられた上吊り式の扉体となっているとともに、前記出入口３を開閉するために第１ガイドレール２１に案内されて開閉移動自在となっている。
【００３５】
図３に示されているように、第１扉体１の下面には、下向きに開口した凹部１Ａが形成され、第１扉体１の移動方向に連続しているこの凹部１Ａには、床５に立設された支柱２７に水平回転自在に取り付けられた第１ガイドローラ２８が挿入されており、第１ガイドレール２１で案内される第１扉体１の上記開閉移動は、第１扉体１の下端がこの第１ガイドローラ２８で案内されることによって行われる。
【００３６】
また、図３に示されているとおり、第２ガイドレール２２も、第１ガイドレール２１と同様に、基部２２Ａと、この基部２２Ａから扉体１，２の厚さ方向に水平に延びているアーム部２２Ｂと、このアーム部２２Ｂの先端から立ち上がった案内部２２Ｃとを有しているとともに、基部２２Ａの上部は、縦断面形状が四角形の筒形状となった筒部２２Ｄとなっており、この筒部２２Ｄの内部は空洞部２２Ｅとなっている。第２ガイドレール２２は、第１ガイドレール２１と同じく、アルミ製又はアルミ合金製の引き抜き成形品又は押し出し成形品であるため、筒部２２Ｄと空洞部２２Ｅは、基部２２Ａとアーム部２２Ｂと案内部２２Ｃと同じく、第２ガイドレール２２に全長に渡って連続して形成されている。
【００３７】
図３に示されているように、上枠部材１０の垂下部１０Ｄには、第２ガイドレール２２を取り付けるための取付部材３０が溶接等で結合されており、板金の折り曲げ品となっていて、垂下部１０Ｄから扉体１，２の厚さ方向への突出量を有しているこの取付部材３０は、図２で示されているように、垂下部１０Ｄにおける前記戸袋４から離れた位置、言い換えると、垂下部１０Ｄにおける戸袋４から露出している位置に設けられている。取付部材３０には、第２ガイドレール２２の基部２２Ａがビス等の止着具３１で取り付けられ、この止着具３１は、本実施形態では扉体１，２の開閉移動方向の複数設けられている。
【００３８】
このように第２ガイドレール２２の戸先側の部分、言い換えると、第２ガイドレール２２の扉体１，２の閉じ側の部分は、取付部材３０を介して前述の不動部材となっている上枠部材１０に結合されている。また、戸袋４の内部に挿入配置されている第２ガイドレール２２の戸尻側の部分、言い換えると、第２ガイドレール２２の扉体１，２の開き側の部分は、戸尻側の竪枠部材１２に結合された挿入部材３２で支持されている。図８は、この挿入部材３２の部分を示す図２の一部拡大正面図であり、図９は、図８のＳ９−Ｓ９線断面図である。
【００３９】
板金の折り曲げ品である挿入部材３２は、上枠部材１０と同じく不動部材となっている戸尻側の竪枠部材１２にビス等の止着具３３又は溶接で結合されたベース部３２Ａと、このベース部３２Ａの扉体１，２の厚さ方向両端から戸先側へ延出した２個の延出部３２Ｂとからなり、これらの延出部３２Ｂが第２ガイドレール２２の空洞部２２Ｅに挿入されることにより、第２ガイドレール２２の戸尻側の端部が挿入部材３２によって支持されている。これらの延出部３２Ｂは、図８で示されているように、上下寸法が戸先側へ次第に小さくなったテーパー形状に形成されており、また、これらの延出部３２Ｂ同士の間隔は、図９で示されているように、戸先側へ次第に小さくなっている。このような状態は、第２ガイドレール２２と挿入部材３２との関係を示している側面図となっている図７にも表われている。
【００４０】
また、図８に示されているとおり、戸尻側の竪枠部材１２には、挿入部材３２の下側において、挟持部材３４が取り付けられており、この挟持部材３４は、第２ガイドレール２２の戸尻側の端部が扉体１，２の厚さ方向に振れることを防止するために、第２ガイドレール２２の戸尻側の端部を扉体１，２の厚さ方向に挟持するためのものである。挟持部材は、図７と、図８と、図８のＳ１０−Ｓ１０断面図である図１０とに示されているように、戸尻側の竪枠部材１２にビス等の止着具３５又は溶接で結合されたベース部３４Ａと、このベース部３４Ａの扉体１，２の厚さ方向両端から戸先側へ延出した２個の延出部３４Ｂとからなり、これらの延出部３４Ｂが第２ガイドレール２２の基部２２Ａと案内部２２Ｃとを扉体１，２の厚さ方向に挟持している。
【００４１】
なお、それぞれの延出部３４Ｂの戸先側の端部は、戸先側に向かって扉体１，２の厚さ方向に拡開した傾斜部３４Ｃとなっている。
【００４２】
これらの延出部３４Ｂを、第２ガイドレール２２の基部２２Ａと案内部２２Ｃとを扉体１，２の厚さ方向に挟持するものとせず、第２ガイドレール２２の基部２２Ａだけを扉体１，２の厚さ方向に挟持するものとしてもよい。
【００４３】
また、挿入部材３２のベース部３２Ａと挟持部材３４のベース部３４Ａとを共通一体化してもよい。これによると、挿入部材３２と挟持部材３４を戸尻側の竪枠部材１２に結合するための止着具の個数の削減や、この結合作業の作業工数の削減を図ることができる。
【００４４】
図３に示されているように、第２ガイドレール２２の前述の案内部２２Ｃには、第２扉体２の上部のブラケット３６に取り付けられているローラ３７が転動自在に載せられ、このようなブラケット３６とローラ３７は、図２に示されているように、第２扉体２の開閉移動方向に２個設けられている。このため、第２扉体２は、２個のローラ３７と２個のブラケット３６を介して第２ガイドレール２２から吊り下げられた上吊り式の扉体となっているとともに、前述の出入口３を開閉するために第２ガイドレール２２に案内されて開閉移動自在となっている。
【００４５】
図３に示されているように、第２扉体２の下面には、下向きに開口した凹部２Ａが形成され、第２扉体２の移動方向に連続しているこの凹部２Ａには、第１扉体１の下端部材１Ｂに立設された支柱３８に水平回転自在に取り付けられた第２ガイドローラ３９が挿入されており、第２ガイドレール２２で案内される第２扉体２の上記開閉移動は、第２扉体２の下端がこの第２ガイドローラ３９で案内されることによって行われる。なお、下端部材１Ｂは、第１扉体１の前述した凹部１Ａを形成する部材となっている。
【００４６】
また、図３に示されているとおり、第１扉体１は、この扉体１の厚さ方向両側のパネル部材１Ｃ，１Ｄと、これらのパネル部材１Ｃ，１Ｄの上端同士を連結する上端部材１Ｅと、パネル部材１Ｃ，１Ｄの下端同士を連結する上述の下端部材１Ｂとを含んで構成されており、パネル部材１Ｃ，１Ｄの間、すなわち、第１扉体１の内部は空間部となっている。この空間部に第２ガイドレール２２が貫通挿入されており、また、この空間部に第２扉体２が侵入可能となっており、このため、第２扉体２は、第１扉体１の内部に侵入する入れ子式の扉体となっている。
【００４７】
この入れ子式の第２扉体２は、図１に示されているとおり、前述の出入口３を２個の扉体１，２が全閉としたときには、第１扉体１から略全体が突出しており、また、出入口３を２個の扉体１，２が全開としたときには、第１扉体１の内部に略全体が侵入することになる。この全開時に、第１扉体１は前述の戸袋４の内部に収納されるため、第１扉体１の内部に収納される第２扉体２の略全体も、この全開時には戸袋４の内部に収納されることになる。
【００４８】
本実施形態に係る多重引き式引戸装置は、第１扉体１と第２扉体２を常時連結していて、これらの扉体１，２を連動させて同一方向へ開閉移動させるための連動機構４０を備えたものとなっている。図４は、この連動機構４０を示す第１扉体１の概略平面図である。連動部材４０は、第１扉体１の戸尻側の端部の上面に回転自在に配置された第１回転体４１と、第１扉体１に戸先側へ延長されて固定されている延長体４３（図２も参照）の先端の上面に回転自在に配置された第２回転体４２と、これらの回転体４１と４２に掛け回された紐状部材４４とを含んで構成されており、この紐状部材４４は、上枠部材１０の前述の垂下部１０Ｄに結合部材４５で結合されている。また、紐状部材４４には、結合部材４５による垂下部１０Ｄとの結合箇所とは２個の回転体４１，４２を間に挟んで反対側の箇所において、紐状部材４４を第２扉体２に結合するための結合部材４６が設けられている。
【００４９】
この結合部材４６は、図２で示されている第２扉体２に２個設けられたブラケット３６のうち、戸先側のブラケット３６に取り付けられている支柱４７に紐状部材４４を結合するものとなっており、このため、結合部材４６と支柱４７を介して紐状部材４４は第２扉体２にも結合されている。
【００５０】
このため、第１扉体１と第２扉体２が、前記出入口３を閉じた全閉位置に達している図１の状態において、第２扉体２に設けられている把持部材４８を把持した手によって第２扉体２を開き移動させると、この第２扉体２の開き移動は、紐状部材４４が２個の回転体４１，４２を回転させながら回転運動することによって第１扉体１に伝達され、第１扉体１も開き移動するとともに、この第１扉体１は、第２扉体２の半分の速度で開き移動する。したがって、第１扉体１は低速扉体であり、第２扉体２は高速扉体である。
【００５１】
第１扉体１が閉じ移動したときにも、第２扉体２は、連動機構４０により、第１扉体１よりも高速で閉じ移動し、第１扉体１は低速で閉じ移動する。２個の扉体１，２が出入口３を全閉としたとき、図１で示されているように、第２扉体２の戸先側の端部は戸先側竪枠部材１１に当接しており、第１扉体１の位置は、第２扉体２よりも戸袋４側の位置となっている。
【００５２】
なお、前述の延長体４３は、図２に示されているように、第１延長部材４３Ａと、この第１延長部材４３Ａに取り付けられた第２延長部材４３Ｂとからなり、図４で示されているとおり、第２延長部材４３Ｂの上面には、スライダ５０が第１扉体１の開閉移動方向にスライド自在に配置され、このスライダ５０に固定された中心軸５１を中心に第２回転体４２が回転自在となっており、中心軸５１の下部は、第２延長部材４３Ｂに第１扉体１の開閉移動方向に長く形成された長孔４３Ｃに挿入され、この長孔４３Ｃから突出した中心軸５１の下端部は、長孔４３Ｃからの中心軸５１の抜け出しを防止する大径端部となっている。このため、スライダ５０を第１扉体１の開閉移動方向に移動させることにより、スライダ５０と一体に移動する第２回転体４２によって紐状部材４４の緊張力を適正の大きさに調整可能できるようになっており、この調整後、スライダ５０の起立部５０Ａと第２延長部材４３Ｂの起立部４３Ｄとに挿通したボルト５２にダブルナット５３を螺合して締め付けることにより、スライダ５０及び第２回転体４２を、第１扉体１の開閉移動方向のその調整後の位置に不動に配置することができるようになっている。
【００５３】
第１扉体１から戸先側へ延長された箇所に第２回転体４２を配置するための延長体の構造は、以上説明したものに限定されず、任意のものでよい。その一例は、この延長体を、第１扉体１に結合され、下向きに開口した断面コ字形状の第１延長部材と、この第１延長部材に入れ子式に挿入されるとともに、第１延長部材に複数個の止着具又は溶接で結合され、下向きに開口した断面コ字形状の第２延長部材とによって構成し、この第２延長部材に上記スライダ５０を第１扉体１の開閉移動方向にスライド自在に配置し、第２延長部材に、上記第２延長部材４３Ｂと同様に、ダブルナット５３を螺合させたボルト５２を挿通させるための起立部を設けてもよい。
【００５４】
また、本実施形態に係る多重引き式引戸装置には、第２扉体２を自動的に閉じ移動させるための、すなわち、連動機構４０を介して第１扉体１と第２扉体２を自動的に閉じ移動させるための渦巻きばね式の閉鎖装置６０が備えられており、図２で示されているように、この閉鎖装置６０は、上枠部材１０における戸先側の竪枠部材１１に近い端部の近傍において、上枠部材１０の垂下部１０Ｄにビス等の結合具で結合されている。閉鎖装置６０からは、この閉鎖装置６０の内部に設けられている渦巻きばね機構に一端が連結された合成樹脂製等の紐状部材６１が導出され、この紐状部材６１の他端は、第２扉体２の前述の２個のブラケット３６のうち、戸先側のブラケット３６に連結されている。第１及び第２扉体１，２が全閉位置に達しているときに、図１の把持部材４８を把持した手によって第２扉体２を開き移動させると、閉鎖装置６０から繰り出される紐状部材６１により、上記渦巻きばね機構の渦巻きばねにばね力が蓄圧され、把持部材４８から手を離すと、この蓄圧されたばね力によって第２扉体２が自動的に全閉位置まで閉じ移動し、第１扉体１も連動機構４０によって全閉位置まで閉じ移動する。このため、本実施形態に係る引戸装置は、自動閉鎖式の引戸装置となっている。
【００５５】
このように第１及び第２の２個の扉体１，２が図１で示されている出入口３を閉じる全閉位置に達したとき、第１扉体１の位置は、第２扉体２の位置よりも前述の戸袋４側の位置、言い換えると、戸尻側の位置となっている。
【００５６】
また、図２に示されているように、上枠部材１０の内部空間には、第１扉体１が全閉位置に近づいたときに第１扉体１の閉じ移動速度を減速させるための、すなわち、連動機構４０を介して第１扉体１と第２扉体２の閉じ移動速度を減速させるためのシリンダ式の制動装置６５がピストンロッド６５Ａを戸尻側に向けて配置され、この制動装置６５は、第１ガイドレール２１に取り付けられている。扉体１の前述の２個のブラケット２５のうち、戸尻側のブラケット２５には、ピストンロッド６５Ａの先端部と第１扉体１の開閉移動方向に対向する当接部材６６が取り付けられ、これらのピストンロッド６５Ａの先端部と当接部材６６とのうち、ピストンロッド６５Ａの先端部には、当接部材６６と吸着力等で接離自在となったマグネット等による接離部材６７が設けられている。
【００５７】
第１扉体１が全閉位置に達しているときには、図２のとおり、接離部材６７に当接部材６６が当接しており、第１扉体１が開き移動を開始すると、当接部材６６に接離部材６７の吸着力で接続状態となっているピストンロッド６５Ａは伸び作動し、ピストンロッド６５Ａの伸び作動長さの限度を越えて第１扉体１が開き移動すると、当接部材６６はピストンロッド６５Ａから分離する。また、第１扉体１が閉じ移動すると、その途中で当接部材６６はピストンロッド６５Ａの先端部の接離部材６７に当接し、第１扉体１が閉じ移動を継続することにより、ピストンロッド６５Ａは縮み作動を始め、制動装置６５には、このときにシリンダ式の制動装置６５の内部の空気を絞りながら排出するバルブが設けられているため、これ以後の第１扉体１は、このバルブの絞り作用による制動力を受けながら、減速されて全閉位置まで前述の閉鎖装置６０により自動移動し、第２扉体２も減速されて連動機構４０により全閉位置まで自動移動する。
【００５８】
なお、上記バルブは、ピストンロッド６５Ａが伸び作動するときには、空気を絞らずにシリンダ式の制動装置６５の内部に空気を流入させるタイプのものであるため、全閉位置からの第１扉体１及び第２扉体２の開き移動を、閉鎖装置６０の上記渦巻きばね機構の渦巻きばねにばね力を蓄圧させるだけの小さな力によって行える。
【００５９】
なお、以上のように、全閉位置へ向かって閉じ移動しているときの２個の扉体１，２に制動力を作用させるための装置は、上記シリンダ式の制動装置６５に限定されず、例えば、２個の扉体１，２と上枠部材１０とのうちの一方に取り付けられたラック部材と、他方に取り付けられ、このラック部材に噛合するピニオン部材を有するロータリー式のダンパー装置とを含んで構成されたものとし、２個の扉体１，２の全閉位置へ向かう閉じ移動によってピニオン部材がラック部材で回転することにより、ロータリー式のダンパー装置の内部に充填されている粘状物質等によって制動力が生ずるものでもよい。
【００６０】
また、図２で示されているとおり、戸尻側の竪枠部材１２には、ストップ部材７０が取り付けられている。ゴム等の弾性材料からなるこのストップ部材７０は、第１扉体１の開き移動限位置である後退限位置を規定するものであり、第１扉体１の戸尻側の端部がストップ部材７０に当接したときに、第１扉体１は後退限位置に達する。
【００６１】
さらに、第１ガイドレール２１の戸尻側の端部には、板ばねで形成されている第１係止部材７１が取り付けられ、戸先側へ延びているこの第１係止部材７１の戸先側の端部には、Ｖ字形状部７１Ａが設けられている。また、第１扉体１の前述の当接部材６６には、回転自在なローラによる第１被係止部材８１が取り付けられている。第１扉体１が開き移動し、第１被係止部材８１が、第１係止部材７１のＶ字形状部７１Ａの上側への弾性変形によってこのＶ字形状部７１Ａに係止されたときに、第１扉体１はストップ部材７０で規定される後退限位置に達し、Ｖ字形状部７１Ａによる第１被係止部材８１の係止によって第１扉体１は後退限位置に停止する。
【００６２】
また、図２に示されているように、第１ガイドレール２１には、第２扉体２を後退限位置に停止させるための第２係止部材７２が取り付けられている。そして、図５に示されているように、第２扉体２に結合されている前述の支柱４７には、第２係止部材７２に係止される第２被係止部材８２が配置されている。第２係止部材７２は、戸尻側への傾き角度を有している第１傾斜面７２Ａと、この第１傾斜面７２Ａよりも戸尻側に形成され、戸先側への傾き角度を有している第２傾斜面７２Ｂとを備えている。また、第２被係止部材８２は、支柱４７に設けられたベース部材８３に取り付けられている。この第２被係止部材８２は、ベース部材８３にビス等の止着具８４で結合された基板部８２Ａと、この基板部８２Ａから第２係止部材７２側かつ戸先側へ斜めに延びる延出部８２Ｂとを有し、弾性変形可能な板ばね作用を有しているこの延出部８２Ｂの先端は、Ｖ字形状部８２Ｃとなっている。
【００６３】
第２扉体２が開き移動し、第２被係止部材８２の延出部８２ＢのＶ字形状部８２Ｃが第２係止部材７２の第１傾斜面７２Ａを延出部８２Ｂの弾性変形で乗り越えて、図５で示すように、Ｖ字形状部８２Ｃが第２傾斜面７２Ｂに係止することにより、第２扉体２は後退限位置に停止する。
【００６４】
そして、図１で示した第１扉体１の把持部材４８を把持した手によって第２扉体２に閉じ移動力を付与すると、第２被係止部材８２の延出部８２ＢのＶ字形状部８２Ｃが第２係止部材７２の第２傾斜面７２Ｂを延出部８２Ｂの弾性変形によって乗り越えることになり、また、第１被係止部材８１が第１係止部材７１の弾性変形によってこの第１係止部材７１のＶ字形状部７１Ａを通過することになり、これにより、２個の扉体１、２は、前述したように、閉鎖装置６０の渦巻きばね機構の渦巻きばねに蓄圧されたばね力及び把持部材４８に付与された手動力により、前述したように全閉位置まで閉じ移動することになる。
【００６５】
なお、以上のようにこの実施形態では、第１扉体１を後退限位置に停止されるための第１係止部材７１及び第１被係止部材８１が用いられているとともに、第２扉体２を後退限位置に停止されるための第２係止部材７２及び第２被係止部材８２も用いられているが、第１扉体１と第２扉体２は連動機構４０で連結されているため、第１係止部材７１及び第１被係止部材８１と、第２係止部材７２及び第２被係止部材８２とのうち、いずれか一方のみとしてもよい。
【００６６】
図６は、第２ガイドレール２２を取り付けるために、上枠部材１０の前記垂下部１０Ｄに配置されている取付部材３０についての扉体１，２の厚さ方向への突出量Ａ等を示す平断面図である。この突出量Ａ、すなわち、取付部材３０が配置されている垂下部１０Ｄの上枠部材１０の内部側の面から、第２ガイドレール２２が取り付けられる取付部材３０の前面までの距離Ａは、垂下部１０Ｄの上枠部材１０の内部側の面から第１扉体１の上枠部材１０側の面までの距離Ｂよりも大きい。このように突出量Ａが距離Ｂよりも大きくなっている理由は、前述したとおり、第２ガイドレール２２が第１扉体１の内部を貫通するからである。
【００６７】
また、扉体１，２の開閉移動方向における取付部材３０から戸袋４までの間隔Ｃは、第１扉体１の開閉移動方向の寸法Ｄ、言い換えると、第１扉体１の幅寸法Ｄよりも大きくなっている。このため、第１扉体１を取付部材３０と戸袋４との間に配置したときには、取付部材３０と第１扉体１との間に寸法Ｅとなった間隔と、第１扉体１と戸袋４との間に寸法Ｆとなった間隔とが生ずるようになっている。これらの寸法Ｅ，Ｆは、後述するように、作業者が両手で第１扉体１を持ったときに、左手を取付部材３０と第１扉体１との間の間隔に、右手を第１扉体１と戸袋４との間の間隔に、それぞれ挿入できる大きさとなっている。このような寸法Ｅ，Ｆは、それぞれ２ｃｍ以上、好ましくは４ｃｍ以上である。
【００６８】
本実施形態に係る多重引き式引戸装置の前述した外枠組みを構成する上枠部材１０等の枠部材は、工場からこの多重引き式引戸装置が設置施工される現場へ搬送され、この現場においてそれぞれの枠部材が組み立てられることにより、上記現場で上記外枠組みが形成される。また、この現場において、戸袋４が内部に収納された前述の壁６も施工される。さらに、第１扉体１や第２扉体２等の所要部材は、工場から現場へ搬送される。
【００６９】
この現場では、上枠部材１０に上記工場又は現場で取り付けられた第１ガイドレール２１に第１扉体１を配置される作業が行われる。この作業を行うとき時には、上枠部材１０の取付部材３０にまだ第２ガイドレール２２は取り付けられていない。また、この作業を行う時には、前述した点検カバー１６を上枠部材１０から取り外しておく。
【００７０】
第１扉体１を第１ガイドレール２１に配置する作業は、作業者が両手で第１扉体１を持ち、この第１扉体１を、上枠部材１０の垂下部１０Ｄに取り付けられている取付部材３０と戸袋４との間に配置した後に、第１扉体１の前述した２個のローラ２６を第１ガイドレール２１の案内部２１Ｃに載置係合させること、すなわち、上吊り式になっている第１扉体１を第１ガイドレール２１に吊り込むことによって行われ、この吊り込み作業時に、第１扉体１の下端に設けられている凹部１Ａに図１及び図３で示されている第１ガイドローラ２８が挿入される。
【００７１】
次いで、第１扉体１を第１ガイドレール２１に案内移動させて戸袋４の内部に入れ、この後、第２ガイドレール２２の戸尻側の端部を第１扉体１の内部空間に挿入する作業を行う。この挿入作業を行うことにより、第２ガイドレール２２の戸尻側の端部から、戸尻側の竪枠部材１２に結合されている前述の挿入部材３２の２個の延出部３２Ｂを第２ガイドレール２２の前記空洞部２２Ｅに挿入するとともに、前記挟持部材３４の２個の延出部３４Ｂの間に第２ガイドレール２２を挿入し、これにより、第２ガイドレール２２の戸尻側の端部を挿入部材３２の２個の延出部３２Ｂで支持させるとともに、この端部を挟持部材３４の２個の延出部３４Ｂによって挟持させる。
【００７２】
なお、前述したように、挿入部材３２の２個の延出部３２Ｂは上下寸法が戸先側へ次第に小さくなったテーパー形状に形成され、また、これらの延出部３２Ｂ同士の間隔は戸先側へ次第に小さくなっているため、第２ガイドレール２２の空洞部２２Ｅへ２個の延出部３２Ｂを挿入することは、円滑に行われる。また、挟持部材３４の２個の延出部３４Ｂの戸先側の端部は、戸先側に向かって扉体１，２の厚さ方向に拡開した傾斜部３４Ｃとなっているため、これらの延出部３４Ｂの間へ第２ガイドレール２２を挿入することも、円滑に行われる。
【００７３】
そして、第２ガイドレール２２の戸尻側の端部が内部に配置される戸袋４が、壁６の内部に収納された壁収納式の戸袋になっていて、壁６の施工後に第２ガイドレール２２を上枠部材１０に配置する作業を行うようになっていても、第２ガイドレール２２の戸尻側の端部を挿入部材３２で支持させかつ挟持部材３４で挟持させる作業を容易に行える。
【００７４】
以上のように第２ガイドレール２２の戸尻側の端部を挿入部材３２で支持させかつ挟持部材３４で挟持させた後に、第２ガイドレール２２の戸先側の部分を、図２で示されているように、止着具３１で取付部材３０に取り付ける。この取付作業の後に、第２ガイドレール２２に第２扉体２を配置される作業が行われ、この作業は、作業者が両手で第２扉体２を持ち、第２扉体２の前述した２個のローラ３７を第２ガイドレール２２の案内部２２Ｃに載置係合させること、すなわち、上吊り式になっている第２扉体２を第２ガイドレール２２に吊り込むことによって行われ、この吊り込み作業時に、第２扉体２の下端に設けられている凹部２Ａに図１及び図３で示されている第２ガイドローラ３９が挿入される。
【００７５】
次いで、前述した連動機構４０の紐状部材４４を第１扉体１に配置されている２個の回転体４１，４２に掛け回し、この紐状部材４４を図４の結合部材４５で上枠部材１０の垂下部１０Ｄに結合する作業や、紐状部材４４を結合具４６で第２扉体２の支柱４７に結合する作業、さらには、上枠部材１０に前記工場又は現場で取り付けられた前述の閉鎖装置６０の紐状部材６１を、第２扉体２の２個のブラケット３６のうちの戸先側のブラケット３６に連結する作業などの残余の作業が行われ、これにより、前記現場において本実施形態に係る多重引き式引戸装置が出来上がる。
【００７６】
以上説明した本実施形態によると、第２ガイドレール２２を取り付けるための取付部材３０についての上枠部材１０の垂下部１０Ｄからの突出量Ａが、取付部材３０が配置された垂下部１０Ｄの面から第１扉体１の上枠部材１０側の面までの距離Ｂよりも大きくても、取付部材３０は、戸袋４から離れた位置において、垂下部１０Ｄに配置されており、そして、取付部材３０と戸袋４との間の扉体１，２の開閉移動方向における間隔Ｃは、第１扉体１の開閉移動方向の寸法Ｄよりも大きくなっており、また、第１扉体１を取付部材３０と戸袋４との間に配置したときに、取付部材３０と第１扉体１との間には寸法Ｅとなった間隔と、第１扉体１と戸袋４との間には寸法Ｆとなった間隔とができ、これらの間隔は、第１扉体１を第１ガイドレール２１に配置する作業者の手を取付部材３０と第１扉体１との間及び第１扉体１と戸袋４との間に挿入できる大きさになっているため、第２扉体２を案内する第２ガイドレール２２のための取付部材３０と戸袋４との影響を受けることなく、作業者は第１ガイドレール２１への第１扉体１の配置作業を容易に行えることになる。
【００７７】
また、本実施形態によると、図６に示されているように、取付部材３０の戸先側の端部３０Ａの位置は、第２ガイドレール２２の戸先側の端部２２Ｆの位置と同じになっているため、取付部材３０に第２ガイドレール２２を止着するための図２で示されている止着具３１の個数を扉体１，２の開閉移動方向に並べた複数個とすることにより、取付部材３０に取り付ける第２ガイドレール２２の部分を、第２ガイドレール２２の戸先側の端部２２Ｆを含む第２ガイドレール２２の長い部分、すなわち、扉体１，２の開閉移動方向における取付部材３０の長さと同じ長さとなった部分とすることが可能となり、これにより、取付部材３０への第２ガイドレール２２の取付強度を大きくすることができる。
【００７８】
図１１は、第２ガイドレール２２の戸尻側の端部を支持する別実施形態に係る挿入部材１３２を示す。
【００７９】
板金の折り曲げ品であるこの挿入部材１３２は、前記実施形態の挿入部材３２と同様に、戸尻側の竪枠部材１２にビス等の止着具３３又は溶接で結合されたベース部１３２Ａと、このベース部１３２Ａの扉体１，２の厚さ方向両端から戸先側へ延出した２個の延出部１３２Ｂとからなり、これらの延出部１３２Ｂが第２ガイドレール２２の空洞部２２Ｅに挿入されることにより、第２ガイドレール２２の戸尻側の端部が挿入部材１３２によって支持される。また、それぞれの延出部１３２Ｂは、図１１で示されているように、上下寸法が戸先側へ次第に小さくなったテーパー形状に形成されているとともに、これらの延出部１３２Ｂ同士の間隔は、図９で示されている前記実施形態の挿入部材３２の延出部３２Ｂ同士の間隔と同様に、戸先側へ次第に小さくなっている。
【００８０】
この実施形態において、挿入部材１３２のそれぞれの延出部１３２Ｂの上面は、ベース部１３２Ａ側の水平面１３２Ｃと、この水平面１３２Ｃから戸先側へ延びた傾斜面１３２Ｄとからなり、この傾斜面１３２Ｄは、戸先側へ下り傾斜している。
【００８１】
このため、この実施形態によると、第２ガイドレール２２の戸尻側の端部を挿入部材１３２で支持させるために、第２ガイドレール２２の空洞部２２Ｅへ２個の延出部１３２Ｂを挿入することは、傾斜面１３２Ｄによって円滑に行うことができ、また、水平面１３２Ｃは空洞部２２Ｅの上面に面接触するため、延出部１３２Ｂによる第２ガイドレール２２の戸尻側の端部の支持を安定させて行うことができる。
【産業上の利用可能性】
【００８２】
本発明は、例えば、出入口等の開口部を少なくとも２個の上吊り式の扉体によって開閉する多重引き式引戸装置等に利用することができる。
【図面の簡単な説明】
【００８３】
【図１】図１は、本発明の一実施形態に係る多重引き式引戸装置の全体を示す正面図である。
【図２】図２は、図１で示されている上枠部材の内部に配置された扉体移動機構を、図１で示されている点検カバーを取り外して示した図である。
【図３】図３は、図２のＳ３−Ｓ３線断面図である。
【図４】図４は、連動機構を示す第１扉体の概略平面図である。
【図５】図５は、第２扉体を開き移動限位置に停止させるための部材等を示す平面図である。
【図６】図６は、取付部材の突出量や第１扉体の扉体開閉移動方向の寸法等を示す平断面図である。
【図７】図７は、第２ガイドレールと挿入部材との関係を示す側面図である。
【図８】図８は、第２ガイドレールの戸尻側の端部が挿入部材で支持されている状態を示す図２の一部拡大正面図である。
【図９】図９は、図８のＳ９−Ｓ９線断面図である。
【図１０】図１０は、図８のＳ１０−Ｓ１０線断面図である。
【図１１】挿入部材の別実施形態を示す図８と同様の図である。
【符号の説明】
【００８４】
１  第１扉体
２  第２扉体
３  開口部である出入口
４  戸袋
６  壁
１０  不動部材である上枠部材
１２  不動部材である戸尻側の竪枠部材
２１  第１ガイド部材である第１ガイドレール
２２  第２ガイド部材である第２ガイドレール
２２Ｅ  空洞部
２２Ｆ  戸先側の端部
３０  取付部材
３０Ａ  戸先側の端部
３２，１３２  挿入部材
４０  連動機構
Ａ  取付部材の突出量
Ｂ  取付部材が配置されている上枠部材の面から第１扉体までの距離
Ｃ  取付部材と戸袋との間の扉体開閉移動方向の間隔
Ｄ  第１扉体の開閉移動方向の寸法
Ｅ  取付部材と第１扉体との間の間隔の寸法
Ｆ  第１扉体と戸袋との間の間隔の寸法
【図１】
2008291526.tif 000003
【図２】
2008291526.tif 000004
【図３】
2008291526.tif 000005
【図４】
2008291526.tif 000006
【図５】
2008291526.tif 000007
【図６】
2008291526.tif 000008
【図７】
2008291526.tif 000009
【図８】
2008291526.tif 000010
【図９】
2008291526.tif 000011
【図１０】
2008291526.tif 000012
【図１１】
2008291526.tif 000013